(57)【要約】【課題】ＯＴＮネットワークとＧＭＰＬＳネットワークとの間で警報情報を交換可能とする中継装置を得ること。【解決手段】本発明にかかる中継装置は、ＯＴＮネットワークとＧＭＰＬＳネットワークとを接続する中継装置であって、ＯＴＮ警報の検出および発出を行う監視光終端部５２と、ＬＭＰ障害管理メッセージを送受信する制御プレーンＩＦ部５１と、監視光終端部５２にてＯＴＮ警報が検出された場合に、当該ＯＴＮ警報をＬＭＰ障害管理メッセージに変換し、当該ＬＭＰ障害管理メッセージを、制御プレーンＩＦ部５１を介してＧＭＰＬＳネットワークに向けて送信し、一方、制御プレーンＩＦ部５１がＬＭＰ障害管理メッセージを受信した場合に、当該ＬＭＰ障害管理メッセージをＯＴＮ警報に変換し、当該ＯＴＮ警報を、監視光終端部５２を介してＯＴＮネットワークに向けて発出する制御部５５と、を備える。【選択図】        図５
2010004184.tif 000002
【特許請求の範囲】
【請求項１】
ＯＴＮ（Optical  Transport  Network）ネットワークとＧＭＰＬＳ（Generalized  Multi  Protocol  Label  Switching）ネットワークにまたがって光パスを設定可能な光ネットワークにおいて、前記ＯＴＮネットワークと前記ＧＭＰＬＳネットワークとを接続する中継装置であって、
ＯＴＮ警報の検出および発出を行う監視光終端手段と、
ＬＭＰ障害管理メッセージを送受信する制御プレーンインタフェース手段と、
前記監視光終端手段にてＯＴＮ警報が検出された場合に、当該ＯＴＮ警報をＬＭＰ障害管理メッセージに変換し、当該ＬＭＰ障害管理メッセージを、前記制御プレーンインタフェース手段を介してＧＭＰＬＳネットワークに向けて送信し、一方、前記制御プレーンインタフェース手段がＬＭＰ障害管理メッセージを受信した場合に、当該ＬＭＰ障害管理メッセージをＯＴＮ警報に変換し、当該ＯＴＮ警報を、前記監視光終端手段を介してＯＴＮネットワークに向けて発出する制御手段と、
を備えることを特徴とする中継装置。
【請求項２】
前記制御手段は、
前記ＯＴＮ警報として、ＯＭＳレイヤのＯＴＮ警報ＦＤＩ−ＰまたはＯＣｈレイヤのＯＴＮ警報ＦＤＩ−Ｐが検出された場合、前記ＬＭＰ障害管理メッセージとして、Ａビットが監視中、Ｄビットが送信方向、チャネル状態フィールドがＳＦまたはＳＤであるＬＭＰ  ChannelStatusメッセージを送信し、
前記ＬＭＰ障害管理メッセージとして、Ａビットが監視中、Ｄビットが送信方向、チャネル状態フィールドがＳＦまたはＳＤであるＬＭＰ  ChannelStatusメッセージを受信した場合、前記ＯＴＮ警報として、ＯＣｈレイヤのＯＴＮ警報ＦＤＩ−Ｐを発出することを特徴とする請求項１に記載の中継装置。
【請求項３】
ＯＴＮネットワークと、
ＧＭＰＬＳネットワークと、
請求項１または２に記載の中継装置と、
を備えることを特徴とする光ネットワーク。
【請求項４】
ＯＴＮネットワークおよびＧＭＰＬＳネットワークにまたがって光パスを設定する光ネットワークにおいて、前記ＯＴＮネットワークと前記ＧＭＰＬＳネットワークとを接続する中継装置による通信方法であって、
ＯＴＮ警報を検出した場合に、当該ＯＴＮ警報をＬＭＰ障害管理メッセージに変換し、当該ＬＭＰ障害管理メッセージをＧＭＰＬＳネットワークに向けて送信するＬＭＰメッセージ送信ステップと、
ＬＭＰ障害管理メッセージを受信した場合に、当該ＬＭＰ障害管理メッセージをＯＴＮ警報に変換し、当該ＯＴＮ警報をＯＴＮネットワークに向けて発出するＯＴＮ警報送信ステップと、
を含むことを特徴とする通信方法。
【請求項５】
前記ＬＭＰメッセージ送信ステップでは、前記ＯＴＮ警報として、ＯＭＳレイヤのＯＴＮ警報ＦＤＩ−ＰまたはＯＣｈレイヤのＯＴＮ警報ＦＤＩ−Ｐを検出した場合に、前記ＬＭＰ障害管理メッセージとして、Ａビットが監視中、Ｄビットが送信方向、チャネル状態フィールドがＳＦまたはＳＤであるＬＭＰ  ChannelStatusメッセージを送信し、
前記ＯＴＮ警報送信ステップでは、前記ＬＭＰ障害管理メッセージとして、Ａビットが監視中、Ｄビットが送信方向、チャネル状態フィールドがＳＦまたはＳＤであるＬＭＰ  ChannelStatusメッセージを受信した場合、前記ＯＴＮ警報として、ＯＣｈレイヤのＯＴＮ警報ＦＤＩ−Ｐを発出することを特徴とする請求項４に記載の通信方法。
【発明の詳細な説明】
【技術分野】
【０００１】
本発明は、ＯＴＮ（Optical  Transport  Network）ネットワークとＧＭＰＬＳ（Generalized  MultiProtocol  Label  Switching）ネットワークにまたがって光パスを設定する光ネットワークにおける中継装置、光ネットワークおよび通信方法に関する。
【背景技術】
【０００２】
近年、インターネット等のトラヒックの増大に対応するための今後のバックボーンネットワークとして、大容量の帯域を１つの波長に乗せて伝送し、ノード装置において波長または波長の束を光のまま交換することにより、メトロネットワークや地方規模のネットワークをまたがって波長単位の光パスを動的に設定する光ネットワークの研究開発が進められている。
【０００３】
このような光ネットワークには、ＲＯＡＤＭ（Reconfigurable  Optical  Add-Drop  Multiplexer）を用いて構築されるリングトポロジーまたはリニアトポロジーの光ネットワークと、ＯＸＣ（Optical  Cross-Connect）を用いて構築されるメッシュトポロジーの光ネットワークとがあり、両者を相互接続することで、より大規模かつ階層的なネットワークを構築できる。その場合、両者を接続する中継ノードは、光のまま、または電気的再生中継手段を介して、それぞれの光ネットワークの光パスを相互に接続する。
【０００４】
これらのネットワークにおける障害対応としては、ＲＯＡＤＭを用いる光ネットワークでは、回線障害を検出した場合に光パスの主信号転送方向へＯＴＮ（Optical  Transport  Network）警報を転送する方法が、ＩＴＵ−Ｔ（International  Telecommunication  Union  −  Telecommunication  Standardization  Sector）において標準化されている（下記、非特許文献１参照）。一方、ＯＸＣを用いる光ネットワークでは、ＯＸＣ装置間で光パスのチャネルと対応付けて主信号伝送状態が正常か否かを通知するプロトコルが、ＩＥＴＦ（Internet  Engineering  Task  Force）において、ＧＭＰＬＳ（Generalized  MultiProtocol  Label  Switching）アーキテクチャの中のＬＭＰ障害管理として標準化されている（下記、非特許文献２参照）。以下、ＯＴＮ警報転送を用いる光ネットワークをＯＴＮ警報転送ネットワーク、ＬＭＰ障害管理を用いる光ネットワークをＬＭＰ障害管理ネットワークと呼ぶ。
【０００５】
ここで、光パス上の主信号は、トランスペアレントなビット列として中継ノードにより中継されるが、主信号のＳＦ（Signal  Fail）やＳＤ（Signal  Degrade）を表すＯＴＮ警報情報またはＬＭＰ障害管理情報（以下、これらをまとめて「警報情報」ともいう）は、別の波長または別のネットワーク（制御プレーン）によって中継される。すなわち、警報情報は、主信号とは異なる手段で転送されるため、中継ノードでいったん終端される。
【０００６】
【特許文献１】特開２００６−１９１２１２号公報
【非特許文献１】ITU-T勧告G.709,  Interfaces  for  the  Optical  Transport  Network  （ＯＴＮ）
【非特許文献２】IETF  RFC  4204,  Link  Management  Protocol  （ＬＭＰ）
【発明の開示】
【発明が解決しようとする課題】
【０００７】
しかしながら、上記従来の技術によれば、ＯＴＮ警報転送ネットワークとＬＭＰ障害管理ネットワークにまたがる光パス上に障害が発生した場合、ＯＴＮ警報転送ネットワークとＬＭＰ障害管理ネットワークとの間では、警報情報を伝える手段がない。この場合、光パスの順方向下流に位置する各ノードは、光信号モニタなどを用いて光パスの障害を検出し、上流ノードから警報情報を受信しないため、自ノードのすぐ上流に障害が発生したものと認識する（障害検出状態）。障害検出状態となった各ノードは、それぞれ管理装置へ警報通知を行い、自ノードのすぐ上流を障害箇所として特定する。このように、従来技術においては、単一の障害に対して複数のノードが障害検出状態となるため、警報通知が重複する、という問題があった。また、警報通知が重複することで、障害箇所の切り分けが困難になる、という問題があった。
【０００８】
本発明は、上記に鑑みてなされたものであって、ＯＴＮネットワークとＧＭＰＬＳネットワークとの間で警報情報を交換可能とする中継装置、光ネットワークおよび通信方法を得ることを目的とする。
【課題を解決するための手段】
【０００９】
上述した課題を解決し、目的を達成するために、本発明は、ＯＴＮネットワークとＧＭＰＬＳネットワークにまたがって光パスを設定可能な光ネットワークにおいて、前記ＯＴＮネットワークと前記ＧＭＰＬＳネットワークとを接続する中継装置であって、ＯＴＮ警報の検出および発出を行う監視光終端手段と、ＬＭＰ障害管理メッセージを送受信する制御プレーンインタフェース手段と、前記監視光終端手段にてＯＴＮ警報が検出された場合に、当該ＯＴＮ警報をＬＭＰ障害管理メッセージに変換し、当該ＬＭＰ障害管理メッセージを、前記制御プレーンインタフェース手段を介してＧＭＰＬＳネットワークに向けて送信し、一方、前記制御プレーンインタフェース手段がＬＭＰ障害管理メッセージを受信した場合に、当該ＬＭＰ障害管理メッセージをＯＴＮ警報に変換し、当該ＯＴＮ警報を、前記監視光終端手段を介してＯＴＮネットワークに向けて発出する制御手段と、を備えることを特徴とする。
【発明の効果】
【００１０】
この発明によれば、ＯＴＮネットワークとＧＭＰＬＳネットワークをまたがって警報情報を送受信できるので、単一の障害に対し、複数の警報通知が重複することを回避でき、また、障害箇所を切り分ける（特定する）ことが容易となる、という効果を奏する。
【発明を実施するための最良の形態】
【００１１】
以下に、本発明にかかる中継装置、光ネットワークおよび通信方法の実施の形態を図面に基づいて詳細に説明する。なお、この実施の形態によりこの発明が限定されるものではない。
【００１２】
図１は、本実施の形態における光ネットワークの構成例を示す図である。この光ネットワークは、ＲＯＡＤＭネットワーク１と、ＲＯＡＤＭネットワーク２と、ＯＸＣネットワーク３と、中継ノード４および５と、ルータ６および７と、を備える。ＲＯＡＤＭネットワーク１および２は、リングネットワークであり、ＯＸＣネットワーク３は、メッシュネットワークである。ＲＯＡＤＭネットワークはＯＴＮを採用するネットワークであり、ＯＸＣネットワークはＧＭＰＬＳを採用するネットワークである。
【００１３】
ＲＯＡＤＭネットワーク１は、ＲＯＡＤＭ装置１１，１２，１３，１４を備え、ＲＯＡＤＭネットワーク２は、ＲＯＡＤＭ装置２１，２２，２３を備える。ＯＸＣネットワーク３は、ＯＸＣ装置３１，３２を備え、さらに、各ＯＸＣ装置，中継ノード４および５を接続しＬＭＰメッセージの交換を行う制御プレーン３３を備える。中継ノード４は、ＲＯＡＤＭネットワーク１とＯＸＣネットワーク３とを接続し、中継ノード５は、ＯＸＣネットワーク３とＲＯＡＤＭネットワーク２とを接続する。ルータ６および７は、図１のネットワークにおける光パスを介して主信号を送受信するクライアント装置である。
【００１４】
また、１００は、ＲＯＡＤＭ装置１３を始点ノードとして、ＲＯＡＤＭ装置１４、中継ノード４、ＯＸＣ装置３１、中継ノード５、ＲＯＡＤＭ装置２１、を経由してＲＯＡＤＭ装置２２を終点ノードとする光パスである。
【００１５】
なお、光パスについては、始点ノードから終点ノードへの方向を順方向、逆の方向を逆方向と呼び、主信号については、転送方向毎に、送信元に遡る方向を上流、送信先へ下る方向を下流と呼ぶ。
【００１６】
また、図１の＃１は、ＲＯＡＤＭ装置１３とＲＯＡＤＭ装置１４の間の光パス１００上で発生した、たとえば、回線切断などの障害である。
【００１７】
ここで、本実施の形態の前提となる従来技術である各ネットワークの警報情報について、図２〜４を用いて説明する。
【００１８】
図２は、従来のＯＴＮ警報情報を示す図である。このＯＴＮ警報情報は、ＩＴＵ−Ｔ勧告Ｇ．７０９において、主信号と別波長のＯＳＣ（Optical  Supervisory  Channel）により転送されることが規定されており、ＯＴＳ（Optical  Transmission  Section）レイヤ警報９１，ＯＭＳ（Optical  Multiplexing  Section）レイヤ警報９２，ＯＣｈ（Optical  Channel）レイヤ警報９３がある。ＯＴＳレイヤ警報９１は、ＴＴＩ（Trail  Trace  Identifier），ＢＤＩ−Ｏ（Backward  Defect  Indication−Overhead），ＢＤＩ−Ｐ（Backward  Defect  Indication−Payload），ＰＭＩ（Payload  Missing  Indication）を含む。ＯＭＳレイヤ警報９２は、ＦＤＩ−Ｏ（Forward  Defect  Indication−Overhead），ＦＤＩ−Ｐ（Forward  Defect  Indication−Payload），ＢＤＩ−Ｏ，ＢＤＩ−Ｐ，ＰＭＩを含む。ＯＣｈレイヤ警報９３は、ＦＤＩ−Ｏ，ＦＤＩ−Ｐ，ＯＣＩ（Open  Connection  Indication）を含む。ＯＣｈは、光パスに波長単位で対応するため、ここでのＯＣｈレイヤ警報９３は、波長の数（たとえば“ｍ”）と同数である。ＯＴＮ警報情報は、監視用チャネルＯＳＣ（Optical  Supervisory  Channel）上で、それぞれが発生しているか否かを「０」または「１」の値で表すビット列として、ノード装置（ＲＯＡＤＭ装置）間を転送される。
【００１９】
図３は、ＯＴＮ警報転送に用いられる監視用チャネル（ＯＳＣ）の配置例を示す図である。図３のように、監視用チャネルは、主信号チャネルとは別の波長に配置される。ＲＯＡＤＭネットワークのノード装置（ＲＯＡＤＭ装置）は、光のまま主信号を中継するため、主信号に付随するオーバーヘッドに警報情報を挿入することが困難である。そのため、主信号について検出した障害を監視用チャネル上の警報情報として他ＲＯＡＤＭ装置へ転送する。監視用チャネルは、ＲＯＡＤＭ装置毎に終端される。
【００２０】
図４は、従来のＬＭＰ障害管理メッセージに含まれる障害通知情報のフォーマットを示す図である。障害通知情報は、ＬＭＰのChannelStatusメッセージに含まれ、チャネル毎の主信号の状態を通知する。図４の９４−ｎ（ｎ＝１，２，…）は、ChannelStatusメッセージの構成単位であって、１本の光パスの片方向についての主信号の状態を表す。９４−ｎは、インタフェースＩＤフィールド（３２ビット），Ａビット，Ｄビット，チャネル状態フィールド（３０ビット）から構成される。インタフェースＩＤフィールドは、ノード装置（たとえば、ＯＸＣ装置）における光パスの収容位置を示し、光パスの識別に用いられる。Ａビットは、主信号が監視中であるか否かを示す。Ｄビットは、ＯＸＣ装置から見た主信号の転送方向が送信方向であるか受信方向であるかを表す。チャネル状態フィールドは、主信号の状態が正常（Normal），障害中（Signal  Fail（SF）），劣化（Signal  Degrade（SD））のいずれであるかを示す。ChannelStatusメッセージは、ＯＸＣ装置間の主信号チャネル数に等しい個数ｎを構成単位とし、複数の光パスについての障害の検出を１個のメッセージにて通知する。
【００２１】
ＬＭＰ規格によれば、ＬＭＰメッセージの転送には主信号を転送するネットワークとは独立した制御用ネットワーク（制御プレーン）が用いられる。制御プレーンはＩＰ（Internet  Protocol）パケットを転送可能なネットワークとして構築され、ＬＭＰメッセージは、ＩＰパケットに包含されてノード装置（ＯＸＣ装置）間を転送される。
【００２２】
図５は、本実施の形態における中継ノードの構成例を示す図である。中継ノードは、ＬＭＰメッセージを送受信する制御プレーンＩＦ（Interface）部５１と、ＯＴＮ警報転送を終端する監視光終端部５２と、回線上で波長多重された光信号の個別の波長への分離およびその逆方向の多重化を行う波長多重光分離部５３ａ〜５３ｄと、波長を交換することでＲＯＡＤＭリングとＯＸＣメッシュネットワークの間で光パスを接続する光スイッチ５４とを備え、さらに、制御プレーンＩＦ部５１，監視光終端部５２，波長多重光分離部５３ａ〜５３ｄ，光スイッチ５４を制御する制御部５５を備える。
【００２３】
図５に示す中継ノードは、図１における中継ノード４，５として動作する。中継ノードの監視光終端部５２は、ＯＴＮ警報の検出および発出を行い、制御プレーンＩＦ部５１は、ＬＭＰ障害管理メッセージを送受信し、制御部５５は、警報転送処理を実行する。ここでの警報転送処理は、ＯＴＮ警報情報とＬＭＰ障害管理メッセージとを相互に変換することにより、ＯＴＮ警報を受信した場合にＬＭＰ障害管理メッセージを転送し、また、ＬＭＰ障害管理メッセージを受信した場合にＯＴＮ警報を転送する処理をいう。
【００２４】
このように、本実施の形態では、中継ノードの制御プレーンＩＦ部５１，監視光終端部５２，制御部５５によって、ＯＴＮ警報とＬＭＰ障害管理メッセージの変換（警報転送処理）を可能とする。
【００２５】
図６は、中継ノードの制御部５５が保持する光パス障害状態管理テーブルの構成例を示す図である。光パス障害状態管理テーブルは、たとえば、チャネル番号６１，データリンクＩＤ６２，運用状態６３，方向６４，上流状態６５，下流状態６６、を備える。チャネル番号６１は、ＯＴＮ警報転送が適用される主信号チャネルを示す。データリンクＩＤ６２は、ＬＭＰ障害管理が適用される光パスを示す。運用状態６３は、光パスが運用中か否かの状態を示す。方向６４は、主信号の転送方向が順方向（光パスの始点ノードから終点ノードへの方向）であるか、逆方向（光パスの終点ノードから始点ノードへの方向）であるかを示す。上流状態６５は、主信号の転送方向について、ＯＴＮ警報転送またはＬＭＰ  ChannelStatusメッセージにより受信した、上流ノードの障害検出状態を示す。下流状態６６は、主信号の転送方向について、下流ノードへ転送した障害状態を示す。ここで、下流状態６６の内容は、上流状態６５の内容と同じである。
【００２６】
上流状態６５および下流状態６６にセットする値は、主信号の状態が正常な場合「Normal」、劣化の場合「ＳＤ（Signal  Degrade）」、障害中の場合「ＳＦ（Signal  Fail）」がある。光パス障害状態管理テーブルは、各光パスについて２件の障害状態（順方向および逆方向）を管理する。
【００２７】
中継ノード４および５の制御部５５は、制御プレーンＩＦ部５１が受信したＬＭＰ障害管理メッセージ，監視光終端部５２が検出したＯＴＮ警報，波長多重光分離部５３ａ〜５３ｄが検出した主信号の障害，をトリガにして、光パス障害状態管理テーブルを更新する。また、下流ノードに向けてＬＭＰ障害管理メッセージまたはＯＴＮ警報を送信することにより、上流における障害検出を通知する。
【００２８】
図７は、中継ノード４の制御部５５の動作の一例を示すフローチャートである。詳細には、ＲＯＡＤＭネットワークからＯＸＣネットワークへの方向の警報転送処理を説明する図である。たとえば、図１のように障害＃１が発生した場合、中継ノード４の制御部５５は、監視光終端部５２から、ＯＴＮ警報による光パス障害警報を検出した旨を通知されると（ステップＳ１）、ＯＴＮ警報に基づいて、光パス障害管理状態テーブルの光パス順方向の上流状態６５をＳＤやＳＦ（障害状態）へ変更し（ステップＳ２）、制御プレーンＩＦ部５１を介して下流方向にＬＭＰ  ChannelStatusメッセージを送信することで、下流ノードであるＯＸＣ装置３１に障害発生を通知する（ステップＳ３）。また、光パス障害管理状態テーブルの光パス順方向の下流状態６６に上流状態６５と同じ値をセットする。
【００２９】
また、図８は、中継ノード５の制御部５５の動作の一例を示すフローチャートである。詳細には、ＯＸＣネットワークからＲＯＡＤＭネットワークへの方向の警報転送処理を説明する図である。たとえば、障害＃１が発生した場合、中継ノード５の制御部５５は、制御プレーンＩＦ部５１を介してＬＭＰ  ChannelStatusメッセージを受信すると（ステップＳ４）、光パス障害管理状態テーブルの光パス順方向の上流状態６５をＳＤやＳＦ（障害状態）へ変更し（ステップＳ５）、監視光終端部５２に、下流方向へのＯＴＮ警報による光パス障害警報の転送を開始させる制御を行うことで、下流ノードであるＲＯＡＤＭ装置２１に障害発生を通知する（ステップＳ６）。また、光パス障害管理状態テーブルの光パス順方向の下流状態６６に上流状態６５と同じ値をセットする。なお、ＯＴＮ警報による光パス障害警報は、ＯＣｈレイヤの警報ＦＤＩ−Ｐを用いる。
【００３０】
つぎに、以上のように構成された光ネットワークにおける障害発生時の動作を、図９に示す警告情報転送のシーケンスを用いて、図１の光パス１００の順方向の主信号の流れに沿って説明する。以下、「ノード装置」は、ＲＯＡＤＭ装置，中継ノード，ＯＸＣ装置を含む総称である。
【００３１】
図９は、ＲＯＡＤＭ装置１４の上流において障害＃１が発生した場合の動作を示すシーケンス図である。障害＃１が発生すると、障害＃１の下流に接続するＲＯＡＤＭ装置１４が、障害を検出し（ステップＳ１１）、光パス１００の障害を示すＯＴＮ警報を下流方向へ発出する（ステップＳ１２）。中継ノード４は、ＯＴＮ警報を検出すると（ステップＳ１に対応する処理）、光パス１００の上流ノードが障害状態にあると認識し（ステップＳ１３：ステップＳ２に対応する処理）、ＬＭＰ  ChannelStatusメッセージを光パス１００の下流方向へ送信する（ステップＳ１４：ステップＳ３に対応する処理）。このＬＭＰ  ChannelStatusメッセージを受信したＯＸＣ装置３１は、光パス１００の上流ノードが障害状態にあると認識し（ステップＳ１５）、ＬＭＰ  ChannelStatusメッセージを、光パス１００下流方向へ送信する（ステップＳ１６）。
【００３２】
中継ノード５は、ＬＭＰ  ChannelStatusメッセージを受信すると（ステップＳ４に対応する処理）、光パス１００の上流ノードが障害状態にあると認識し（ステップＳ１７：ステップＳ５に対応する処理）、ＯＴＮ警報を光パス１００の下流方向へ送信する（ステップＳ１８：ステップＳ６に対応する処理）。このＯＴＮ警報を受信したＲＯＡＤＭ装置２１は、光パス１００の上流ノードが障害状態にあると認識し（ステップＳ１９）、ＯＴＮ警報を光パス１００の下流方向へ送信する（ステップＳ２０）。このＯＴＮ警報を受信したＲＯＡＤＭ装置２２は、光パス１００の上流ノードが障害状態にあると認識する（ステップＳ２１）。また、自装置が光パス１００の終点であるため、警報転送を終端する。
【００３３】
一方、ステップＳ１１において障害を検出したＲＯＡＤＭ装置１４は、障害を検出してから所定の時間待機する。ここでは、ＲＯＡＤＭ装置１４は、その間に上流ノードからのＯＴＮ警報を検出しないので、自装置とその上流のＲＯＡＤＭ装置１３との間の経路に障害が発生したと判断し、自装置を「障害検出状態」とする（ステップＳ２２）。
【００３４】
なお、上記「所定の時間」は、障害を検出したノード装置が自装置の上流にある他のノード装置からの警報情報を検出する可能性のある時間である。また、障害検出状態とは、あるノード装置（ＲＯＡＤＭ装置またはＯＸＣ装置）が、自装置とその上流において接続されたノード装置との間の経路で障害を検出した状態をいう。
【００３５】
障害検出状態となったノード装置は、発生した障害について、管理装置へ警報通知を発出する。これにより、管理装置は、障害発生箇所を切り分ける（特定する）ことができる。したがって、ここでは、障害検出状態となるノードは、障害＃１の直下に位置するＲＯＡＤＭ装置１４のみとなるので、警報通知が重複して発出されることを回避でき、障害箇所の切り分けが容易になる。
【００３６】
以上のように、ＲＯＡＤＭネットワーク１および２とＯＸＣネットワーク３とを接続する中継ノード４および５が動作することで、光パス１００においては、ＯＴＮ警報を検出した時にＬＭＰ障害管理メッセージを転送し、またＬＭＰ障害管理メッセージを受信した時にＯＴＮ警報を発出することができる。
【００３７】
上記の警報転送処理は、たとえば、以下のように実現できる。中継ノードの制御部５５は、ＯＭＳレイヤのＯＴＮ警報９２の中のＦＤＩ−Ｐ、またはＯＣｈレイヤのＯＴＮ警報９３の中のＦＤＩ−Ｐを検出した場合、Ａビットが「監視中」、Ｄビットが「送信方向」、チャネル状態フィールドが「ＳＦ」（またはＳＤ）としたＬＭＰ  ChannelStatusメッセージに変換し、これを送信する。また、制御部５５は、Ａビットが「監視中」、Ｄビットが「送信方向」、チャネル状態フィールドが「ＳＦ」（またはＳＤ）であるＬＭＰ  ChannelStatusメッセージを受信した場合、ＯＣｈレイヤのＯＴＮ警報９３の中のＦＤＩ−Ｐへ変換し、これを発出する。
【００３８】
以上説明したように、本実施の形態では、ＯＴＮ警報とＬＭＰ障害管理メッセージを対応付けることで、波長単位の光パスの障害を表す警報情報を、ＯＴＮ警報転送ネットワークとＬＭＰ障害管理ネットワークとの間で転送することとした。これにより、ＯＴＮネットワークとＧＭＰＬＳネットワークをまたがって警報情報を送受信できる。また、単一の障害に対しては単一のノードが障害検出状態になり、そのノードのみが管理装置へ警報通知を発出するので、単一の障害に対し、複数の警報通知が重複することを回避できる。したがって、保守において、障害箇所を切り分ける（特定する）ことが容易となる。
【産業上の利用可能性】
【００３９】
以上のように、本発明にかかる中継装置は、ネットワークをまたがって光パスを動的に設定する光ネットワークに有用であり、特に、ＯＴＮネットワークとＧＭＰＬＳネットワークを接続する光ネットワークに適している。
【図面の簡単な説明】
【００４０】
【図１】光ネットワークの構成例を示す図である。
【図２】ＯＴＮ警報情報を示す図である。
【図３】ＯＴＮ警報転送に用いられる監視用チャネル（ＯＳＣ）の配置例を示す図である。
【図４】ＬＭＰ障害管理メッセージに含まれる障害通知情報のフォーマットを示す図である。
【図５】中継ノードの構成例を示す図である。
【図６】光パス障害状態管理テーブルの構成例を示す図である。
【図７】中継ノードの制御部の動作の一例を示すフローチャートである。
【図８】中継ノードの制御部の動作の一例を示すフローチャートである。
【図９】ＲＯＡＤＭ装置の上流において障害が発生した場合の動作を示すシーケンス図である。
【符号の説明】
【００４１】
１，２  ＲＯＡＤＭネットワーク
３  ＯＸＣネットワーク
４，５  中継ノード
６，７  ルータ
１１，１２，１３，１４，２１，２２，２３  ＲＯＡＤＭ装置
３１，３２  ＯＸＣ装置
３３  制御プレーン
５１  制御プレーンＩＦ部
５２  監視光終端部
５３ａ，５３ｂ，５３ｃ，５３ｄ  波長多重光分離部
５４  光スイッチ
５５  制御部
６１  チャネル番号
６２  データリンクＩＤ
６３  運用状態
６４  方向
６５  上流状態
６６  下流状態
９１  ＯＴＳレイヤのＯＴＮ警報
９２  ＯＭＳレイヤのＯＴＮ警報
９３  ＯＣｈレイヤのＯＴＮ警報
９４  ＣｈａｎｎｅｌＳｔａｔｕｓメッセージの構成単位
１００  光パス
【図１】
2010004184.tif 000003
【図２】
2010004184.tif 000004
【図３】
2010004184.tif 000005
【図４】
2010004184.tif 000006
【図５】
2010004184.tif 000007
【図６】
2010004184.tif 000008
【図７】
2010004184.tif 000009
【図８】
2010004184.tif 000010
【図９】
2010004184.tif 000011